(57)【要約】
【課題】　注射針が刺さりけがをする、又は感染することを防止し、医療人員または関係者の恐怖を取り除き、安全を確保する注射針の保護キャップを提供する。
【解決手段】　注射針を保護するキャップ１０に係り、常に差込管３０へ注射針２１を保護して隠す状態を示し、関係者が注射を打つ部位へ注射器を押し当てると、差込管３０は縮み、且つ保護されて隠されていた注射針２１が差込管３０前端から露出し、注射を打つ目的を達成する。注射後は、差込管３０が弾性部品４０により元の位置へ戻され、再び注射針２１を保護して隠す目的を達成する。よって注射器を使用するにあたりキャップの取り付けを全く必要とせずに注射を打つ目的を達成でき、注射針のキャップの取り付けに伴う注射針に刺さりけがをする又はそのために感染病に感染してしまうという危険性を避けることができるものである。
【選択図】　図１
0003099968.tif 000002
【実用新案登録請求の範囲】
【請求項１】
　キャップと、差込管と、弾性部品とを有する注射針を保護するキャップであって、
　キャップは、空洞の管状をしており、入口と出口を具有し、該入口は適正に注射器の外筒の前端とかみ合い、並びに注射針を収納し、
　差込管は、空洞の管状をしており、常に注射針を保護して隠し、片端は該キャップの出口と連結結合し、該キャップの軸向にそって自由に該出口の中で動き、別の片端はヘッドを具有し、注射を打つとき注射を打つ部位へ該ヘッドを接触させることにより、該差込管は推され該キャップへ向かって縮み、隠していた注射針は該差込管の導引のもと該差込管の前端から露出し、
　弾性部品は、該差込管の軸向に具有し、片端は該キャップの出口へ設け、別の片端は該差込管のヘッドへ設け、該弾性部品の弾力により、常に該差込管は注射針を隠している
　ことを特徴とする注射針を保護するキャップ。
【請求項２】
　前記弾性部品は差込管の外部をぐるぐる回っている螺旋バネであることを特徴とする請求項1記載の注射針を保護するキャップ。
【請求項３】
　前記キャップ、差込管は弾性部品により一体を形成することを特徴とする請求項1記載の注射針を保護するキャップ。
【請求項４】
　更に安全ピンを設け、該安全ピンの片端は連接部によりキャップへ連接し、連接部は弾性と可撓性を有し、該連接部の別の片端へ連結結合部を設け、該連結結合部は該キャップの片側の穿孔へ嵌入し、該穿孔に嵌入する連結結合部は長さを十分に有し、該連結結合部の端は該差込管が縮んで該キャップへ挿入する動作をとめる役割をし、よって該差込管が誤作動によって該注射針が露出することを防止することを特徴とする請求項１記載の注射針を保護するキャップ。
【請求項５】
　前記連結結合部は凸型の点を具有し、該凸型の点は暫定的に穿孔の中にあり、よって該安全ピンのゆるみを防止することを特徴とする請求項４記載の注射針を保護するキャップ。
【考案の詳細な説明】
【技術分野】
【０００１】
　本考案は一種の注射器の安全装置に係り、特に常に注射針を保護して隠しておくことができて、注射を打つ必要があるときに注射針を露出する注射針を保護するキャップに関する。
【背景技術】
【０００２】
　医療用器具、器材のなかで注射器の使用率は最も高いもののひとつであり、使用上においても安全性を最も重視するものである。また、医療廃棄物の処理においても危険性が高いもののひとつであり、特に注射針の危険性は最も高い。伝染病患者が使用する注射針と注射器には患者の血液、病原体、ウィルスが残留している可能性があり、廃棄処理の過程の中で注射針に刺さりけがをすると、感染してしまう可能性が極めて高く、廃棄処理にあたる人員の健康、生命を脅かすものとなる。
　注射器の使用後と使用前には、注射針へ蓋をし、注射針に刺さりけがをして伝染病に感染することを防止している。例えばアメリカ特許第5490841号で注射針へ一種さやのようなものを設け、その中へ注射針を収納したり、他にはアメリカ特許第5667496号のようにいまある注射針の蓋のほかにもう一つ蓋を増加して、即ち二重の蓋を設ける、またアメリカ特許第5775498号、アメリカ特許第5084027号も同様に二重の蓋を設ける設計をしている。
　医療注射器の処理技術においては、アメリカ特許第6158790号（公告）では、注射器から注射針を抜き取る手作業工具が、またアメリカ特許第6179812B1号では、注射針を注射器の外筒内へ縮めて戻す技術が既に公開されている。
　アメリカ特許第6171284B1号では、注射針を密封する構造で密封する技術が既に公告されている。
【特許文献１】アメリカ特許第5490841号
【特許文献２】アメリカ特許第5667496号
【特許文献３】アメリカ特許第5775498号
【特許文献４】アメリカ特許第5084027号
【特許文献５】アメリカ特許第6158790号（公告）
【特許文献６】アメリカ特許第6179812B1号
【特許文献７】アメリカ特許第6171284B1号
【考案の開示】
【考案が解決しようとする課題】
【０００３】
　しかしながら、上記のような公知の技術では、注射をする前に注射針の保護蓋を取り外し、又は注射後また注射針を保護する蓋をもとに戻さなくてはならない、蓋を取りつけたりするその時に注射針に刺さりけがをする可能性もあり、それに使用した注射器及び注射針の廃棄においても依然として危険性は解決されていない。
　そこで、本考案は、常に注射針をキャップ内に保護し隠す注射針を保護するキャップの提供を課題とする。
【課題を解決するための手段】
【０００４】
　上記課題を解決するために、本考案は安全な注射器を提供する。特に注射器の中で最も危険な注射針に係り、医療人員、関係者が注射針に刺さりけがをすることを避ける注射針を保護するキャップを提供する。
　それは、常に注射針が保護され隠されており、且つ安全ピンを具有し、誤作動により注射針がキャップ内から露出することを防止し、注射を打つ前に安全ピンのロック機能を解除するだけで、キャップをはずすこともなく、直接注射を打つことができるものである。
【０００５】
　すなわち、本考案の注射針を保護するキャップは、以下に述べる特徴を有する。
１．キャップと、差込管と、弾性部品とを有する注射針を保護するキャップであって、
　キャップは、空洞の管状をしており、入口と出口を具有し、該入口は適正に注射器の外筒の前端とかみ合い、並びに注射針を収納し、
　差込管は、空洞の管状をしており、常に注射針を保護して隠し、片端は該キャップの出口と連結結合し、該キャップの軸向にそって自由に該出口の中で動き、別の片端はヘッドを具有し、注射を打つとき注射を打つ部位へ該ヘッドを接触させることにより、該差込管は推され該キャップへ向かって縮み、隠していた注射針は該差込管の導引のもと該差込管の前端から露出し、
　弾性部品は、該差込管の軸向に具有し、片端は該キャップの出口へ設け、別の片端は該差込管のヘッドへ設け、該弾性部品の弾力により、常に該差込管は注射針を隠していることを特徴とする。
２．前記弾性部品は差込管の外部をぐるぐる回っている螺旋バネであることを特徴とする。
３．前記キャップ、差込管は弾性部品により一体を形成することを特徴とする。
４．更に安全ピンを設け、該安全ピンの片端は連接部によりキャップへ連接し、連接部は弾性と可撓性を有し、該連接部の別の片端へ連結結合部を設け、該連結結合部は該キャップの片側の穿孔へ嵌入し、該穿孔に嵌入する連結結合部は長さを十分に有し、該連結結合部の端は該差込管が縮んで該キャップへ挿入する動作をとめる役割をし、よって該差込管が誤作動によって該注射針が露出することを防止することを特徴とする。
５．前記連結結合部は凸型の点を具有し、該凸型の点は暫定的に穿孔の中にあり、よって該安全ピンのゆるみを防止することを特徴とする。
【考案の効果】
【０００６】
　注射後の注射針はキャップ内へ保護され隠されるので、注射を打つ過程の中で全く注射針のキャップをはずす必要が無いので、注射針に刺さりけがをする危険を避けることができる。
【考案を実施するための最良の形態】
【０００７】
　図１、２に示すように、一種の注射針を保護するキャップに係り、
　キャップ１０は、空洞の管状をしており、入口１０１と出口１０２を具有し、該入口１０１は適正に注射器の外筒２０の前端とかみ合い、並びに注射針２１を収納するものである。
　差込管３０は、空洞の管状をしており、常に注射針２１を保護するために隠し、片端は該キャップ１０の出口１０２と連結結合し、該キャップ１０の軸向にそって自由に該出口１０２の中で動き、常に注射針２１は差込管３０により覆われている（参照図３）。別の片端はヘッド３１を具有し、基本的に該ヘッド３１はキャップ１０の出口１０２の内径よりも大きく、注射を打つとき注射を打つ部位へ該ヘッド３１を接触させることにより、該差込管３０は推され該キャップ１０へ向かって縮み、隠していた注射針２１が該差込管３０の導引のもと該差込管３０の前端から露出する（参照図４）。
　弾性部品４０は該差込管３０の軸向へ具有し、該弾性部品４０の片端は該キャップ１０の出口１０２へ設け、別の片端は該差込管３０のヘッド３１へ設け、該弾性部品４０の弾力により、常に該差込管３０は注射針２１を保護して隠している（参照図３）。
　上記のように伸縮活動する差込管３０は、出荷する時も注射器の外筒２０の前端に有する注射針２１はキャップ１０内に保護され、常に差込管３０は注射針２１を保護して隠す。よって注射針が外に露出して関係者を脅かすことがなく、また注射を打つときキャップ１０を取る必要がなく、そのまま直接注射を打つことができ、注射を打つとき医療者はただ差込管３０の前端にあるヘッド３１を注射を打つ部位又は目標へ向かって押すだけでよく、外筒２０は蓋１０の内部へ向かって縮み、差込管３０の中に隠れていた注射針２１が露出する。注射を打ち終えたら、押すのをやめて注射針２１を抜きだし、差込管３０はまた弾性部品４０によりキャップ１０より押し出され、注射針２１はまた差込管３０内へ保護されて隠される。注射器を使用過程中において全く注射針キャップを取り外す必要が無く、故に公知の蓋のように取り付け時に注射針にささってけがをする危険を避けることができるものである。
【０００８】
　また、本考案のもう一つの実施例として、更にキャップ１０へ安全ピン５０を設ける。該安全ピン５０を設ける位置は、図に示すようにボールペン等の一般の筆記具に似ており、安全ピン５０の片端は連接部５１によりキャップ１０へ連接し、該連接部５１は弾性と可撓性を具有し、該連接部５１の別の片端へ連結結合部５２を設け、該連結結合部５２は該キャップ１０の片側の穿孔１１へ嵌入し、且つ連結結合部５２の凸型の点５２１は穿孔11内へ暫時的に引っかかっており、安全ピン５０がゆるんで取れてしまうことを防止し、穿孔１１へ嵌入する連結結合５２は適正な十分な長さ、サイズを具有し、連結結合部５２の前端が阻止することにより差込管３０が誤作動により縮み注射針２１を露出することを防止している。（参照図３）
【０００９】
　注射を打つ前に準備としてただ安全ピン５０の止め機能を解除するだけでよく（参照図４）、注射針を保護するキャップを取り外す必要がなく、直接注射を打つことができるものである。
【００１０】
　本考案は更にプラスチック素材による上記のキャップ１０、差込管３０、弾性部品４０、安全ピン５０に係り、更に製造コストを低減し、該弾性部品４０に螺旋バネを利用し、差込管３０の外部をぐるぐる回っている螺旋バネを前述の構造へ配合し、プラスチック素材の弾性は必要とする弾力を提供する。
【００１１】
　最後に図5に示すように、注射針を保護するキャップを含む注射器を製造した後、無菌包装による方法で密封袋６０内へ密封し、細菌、ウィルス、その他の有毒な汚染物質から注射針又は注射器を保護する。
【００１２】
　本考案によると、注射針に刺さりけがをする、又はそのために感染してしまう可能性を防止し、医療人員または関係者の恐怖を取り除き、安全を確保できた。
【図面の簡単な説明】
【００１３】
【図１】本考案の注射針保護キャップと外筒前端が連接する指示図である。
【図２】本考案の構造図である。
【図３】本考案の注射針保護キャップが常時注射針を差込管内に収めている状態指示図である。
【図４】注射をするときの露出する差込管の状態指示図である。
【図５】本考案の注射針保護キャップを有する注射器を出荷する時の包装状態指示図である。
【符号の説明】
【００１４】
　１０　注射器用キャップ
１０１　入口
１０２　出口
　１１　穿孔
　２０　外筒
　２１　注射針
　３０　差込管
　３１　ヘッド
　４０　弾性部品
　５０　安全ピン
　５１　連接部
　５２　連結結合部　
５２１　凸型の点
　６０　密封袋
【図１】
0003099968.tif 000003
【図２】
0003099968.tif 000004
【図３】
0003099968.tif 000005
【図４】
0003099968.tif 000006
【図５】
0003099968.tif 000007